(57)【要約】【課題】太陽電池からの電力供給が少ない状態が長時間続いた場合であっても、締切り運転を防止しながら従来技術に比べて始動停止回数を著しく減少させることができる太陽電池を電源とする給水装置の制御装置を提供すること。【解決手段】太陽電池１を電源とする給水装置の制御装置１０において、電圧検出器２５、締切り運転検出装置１１、記憶装置２０、及び始動電圧加算器２７を備え、太陽電池１の出力電圧ＶＯＵＴが記憶装置２０に記憶されたポンプ始動初期電圧ＶＳＴＡＲＴ以上となった場合にポンプを始動させ、締切り運転を検出した場合に、ポンプを停止させると共に、ポンプ始動初期電圧ＶＳＴＡＲＴに予め設定された電圧幅Ｖαを加えた電圧ＶＳＴＡＲＴ＋Ｖαを新たなポンプ始動電圧Ｖ（Ｎ）ＳＴＡＲＴとして記憶装置２０に記憶し、その後太陽電池１の出力電圧ＶＯＵＴが新たなポンプ始動電圧Ｖ（Ｎ）ＳＴＡＲＴ＝ＶＳＴＡＲＴ＋Ｖα以上になるまでポンプを停止状態に維持する。【選択図】      図３
2004190566.tif 000002
【特許請求の範囲】
【請求項１】
ポンプと、該ポンプを太陽電池を電源として可変速制御する周波数変換器を備えた太陽電池を電源とする給水装置の制御方法において、
前記太陽電池の出力電圧ＶＯＵＴが、予め定められたポンプ始動初期電圧ＶＳＴＡＲＴ以上となった場合に前記ポンプを始動させ、
次に、前記ポンプが締切り運転と判断された場合に、該ポンプの運転を停止させると共に、前記ポンプ始動初期電圧ＶＳＴＡＲＴに予め設定された電圧幅Ｖαを加えた電圧ＶＳＴＡＲＴ＋Ｖαを新たなポンプ始動電圧Ｖ（Ｎ）ＳＴＡＲＴとして記憶し、
次に前記太陽電池の出力電圧ＶＯＵＴが前記新たなポンプ始動電圧Ｖ（Ｎ）ＳＴＡＲＴ＝ＶＳＴＡＲＴ＋Ｖα以上になるまで前記ポンプを停止状態に維持することを特徴とする太陽電池を電源とする給水装置の制御方法。
【請求項２】
請求項１に記載の太陽電池を電源とする給水装置の制御方法において、
前記太陽電池の出力電圧ＶＯＵＴが許容最低電圧ＶＬＯＷ以下に減少した場合に前記ポンプ始動電圧Ｖ（Ｎ）ＳＴＡＲＴ＝ＶＳＴＡＲＴ＋Ｖαを前記予め設定されたポンプ始動初期電圧ＶＳＴＡＲＴとすることを特徴とする太陽電池を電源とする給水装置の制御方法。
【請求項３】
ポンプと、該ポンプを太陽電池を電源として可変速制御する周波数変換器を備えた太陽電池を電源とする給水装置の制御装置において、
前記太陽電池の出力電圧を検出する電圧検出手段、前記ポンプが締切り運転を検出する締切り運転検出手段、データを記憶する記憶手段、及びポンプ始動電圧加算手段を備え、
前記電圧検出手段で検出した太陽電池の出力電圧ＶＯＵＴが前記記憶手段に記憶された予め定められたポンプ始動初期電圧ＶＳＴＡＲＴ以上となった場合に前記ポンプを始動させ、前記締切り運転検出手段が前記ポンプの締切り運転を検出した場合に、該ポンプの運転を停止させると共に、前記ポンプ始動電圧加算手段で前記ポンプ始動初期電圧ＶＳＴＡＲＴに予め設定された電圧幅Ｖαを加えた電圧ＶＳＴＡＲＴ＋Ｖαを新たなポンプ始動電圧Ｖ（Ｎ）ＳＴＡＲＴとして前記記憶手段に記憶し、その後前記電圧検出手段で検出した太陽電池の出力電圧ＶＯＵＴが前記新たなポンプ始動電圧Ｖ（Ｎ）ＳＴＡＲＴ＝ＶＳＴＡＲＴ＋Ｖα以上になるまで前記ポンプを停止状態に維持する機能を具備することを特徴とする太陽電池を電源とする給水装置の制御装置。
【請求項４】
請求項３に記載の太陽電池を電源とする給水装置の制御装置において、
前記記憶手段に前記太陽電池の許容最低電圧ＶＬＯＷを記憶しておき、
前記電圧検出手段で検出した太陽電池の出力電圧ＶＯＵＴが前記許容最低電圧ＶＬＯＷ以下に減少した場合に前記ポンプ始動電圧Ｖ（Ｎ）ＳＴＡＲＴ＝ＶＳＴＡＲＴ＋Ｖαを前記予め設定されたポンプ始動初期電圧ＶＳＴＡＲＴとする機能を具備することを特徴とする太陽電池を電源とする給水装置の制御装置。
【発明の詳細な説明】
【０００１】
【発明の属する技術分野】
本発明は、太陽電池を電源としインバータ等の周波数変換器によって可変速運転されるポンプを備えた太陽電池を電源とする給水装置の制御方法及び制御装置に関するものである。
【０００２】
【従来の技術】
深井戸用水中モータポンプ等のポンプに、任意の周波数及び電圧をポンプに供給する周波数変換器（インバータ）を用いて、ポンプを可変速運転することが広く行われている。例えば、電源供給事情の悪い地域の牧場等においては、電源として太陽電池を用い、該太陽電池の出力電圧をインバータにより電力変換してポンプに供給し、井戸から井戸水を地上のタンクに揚水して蓄えておく場合がある。このように電源として太陽電池を用いた給水装置は日射量に対応して発生する電力によりポンプが運転されるが、揚水された水が一旦タンクに蓄積されるため、タンクに溜めておいた水を必要に応じて家畜の飲料水等に利用することができる。
【０００３】
太陽電池から供給される電力量は、日射量とモータポンプの運転状態（電圧、電流、周波数）によって変化する。従って、このように太陽電池を電源とする給水装置においては、最も効率よくポンプを運転するために、最大電力が供給できるようにポンプに供給する電圧、電流、周波数を制御する最大電力追跡制御が行われている。
【０００４】
この種の給水装置では、通常揚水するのに十分な日射量になってはじめてポンプを駆動するように調整されているが、この調整が十分になされていない場合や特異な運転条件が重なった場合などにおいては、日射量が少ないと揚水が十分になされないままポンプが運転し続け、ポンプが締切り運転の状態になることがある。このような締切り運転状態が続くとポンプが過熱損傷に至ってしまうので、締切り運転を検知し、警報を出力してポンプを停止するなどの対策が必要である。
【０００５】
従来、上記ポンプの締切り運転状態に対するものとして、例えば、特許文献１及び２に記載されたものがある。特許文献１では、太陽電池から揚水に十分な電力が供給されるようになるまで、「締切り運転検出→一定時間ポンプを停止→再始動」を繰り返すことで、締切り運転時の過熱損傷を防止している。しかしながら、この方法では、雨天時など太陽電池からの電力供給量が少ない状態が長時間続くと、運転停止回数が多くなり、ポンプの寿命が短くなるなどの問題があった。
【０００６】
【特許文献１】
特開２００２−１９５１６３号公報
【特許文献２】
特開２００２−２１７３６号公報
【０００７】
【発明が解決しようとする課題】
本発明は上述の点に鑑みてなされたもので、太陽電池からの電力供給が少ない状態が長時間続いた場合であっても、締切り運転を防止しながら従来技術に比べて始動停止回数を著しく減少させてポンプの寿命を長く維持することができる太陽電池を電源とする給水装置の制御方法及び制御装置を提供することを目的とする。
【０００８】
【課題を解決するための手段】
上記課題を解決するため請求項１に記載の発明は、ポンプと、該ポンプを太陽電池を電源として可変速制御する周波数変換器を備えた太陽電池を電源とする給水装置の制御方法において、太陽電池の出力電圧ＶＯＵＴが、予め定められたポンプ始動初期電圧ＶＳＴＡＲＴ以上となった場合にポンプを始動させ、次に、ポンプが締切り運転と判断された場合に、該ポンプの運転を停止させると共に、ポンプ始動初期電圧ＶＳＴＡＲＴに予め設定された電圧幅Ｖαを加えた電圧ＶＳＴＡＲＴ＋Ｖαを新たなポンプ始動電圧Ｖ（Ｎ）ＳＴＡＲＴとして記憶し、次に太陽電池の出力電圧ＶＯＵＴが新たなポンプ始動電圧Ｖ（Ｎ）ＳＴＡＲＴ＝ＶＳＴＡＲＴ＋Ｖα以上になるまでポンプを停止状態に維持することを特徴とする。
【０００９】
この種の太陽電池を電源とする給水装置において、ポンプ停止時における太陽電池の出力電圧ＶＯＵＴは、日射量、即ち太陽電池が供給可能な電力量の増加と共に増加する。従って、上記のようにポンプが締切り運転と判断され、ポンプの運転を停止させた場合に、ポンプ始動初期電圧ＶＳＴＡＲＴに予め設定された電圧幅Ｖαを加えた電圧ＶＳＴＡＲＴ＋Ｖαを新たなポンプ始動電圧Ｖ（Ｎ）ＳＴＡＲＴとすることにより、太陽電池の出力電圧ＶＯＵＴがＶＯＵＴ＝ＶＳＴＡＲＴ（ポンプ始動初期電圧）になっても、直ちに再始動せず電圧幅Ｖα分の日射量の増加を待ってから行われる。この為、一定時間間隔で再始動を繰り返す従来の締切り運転を保護する制御方法に比べて、ポンプの始動停止回数を著しく減少させることができる。
【００１０】
請求項２に記載の発明は、請求項１に記載の太陽電池を電源とする給水装置の制御方法において、太陽電池の出力電圧ＶＯＵＴが許容最低電圧ＶＬＯＷ以下に減少した場合にポンプ始動電圧Ｖ（Ｎ）ＳＴＡＲＴ＝ＶＳＴＡＲＴ＋Ｖαを予め設定されたポンプ始動初期電圧ＶＳＴＡＲＴとすることを特徴とする。
【００１１】
この種の太陽電池を電源とする給水装置において、図２に示すように太陽電池の最大出力電力が揚水に必要な最小電力よりも小さい場合、ポンプは締切り運転状態となる。揚水に必要な最小電力はポンプの実揚程により決定されるが、特に井戸などの場合その水位が変化する為、実揚程も変化しその結果、揚水に必要な最小電力も変化する。更に、太陽電池の出力電圧−出力電力特性は温度により変化する為、ポンプ停止時の太陽電池の出力電圧ＶＯＵＴが同じであっても、その最大出力電力が同一となるとは限らない。従って、ポンプ始動電圧が比較的高い値で固定された場合、水位の上昇や気温の変化等により、ポンプ始動電圧以下で始動した場合でも十分に揚水が可能であるにもかかわらず、ポンプが運転されないという不具合が発生する。
【００１２】
請求項２に記載の発明では、上記のように太陽電池の出力電圧ＶＯＵＴが許容最低電圧ＶＬＯＷ以下に減少した場合に新たに設定したポンプ始動電圧Ｖ（Ｎ）ＳＴＡＲＴ＝ＶＳＴＡＲＴ＋Ｖαを予め設定されたポンプ始動初期電圧ＶＳＴＡＲＴに戻す為、ポンプの始動電圧は毎朝必ずポンプ始動初期電圧ＶＳＴＡＲＴから始まることになり、その結果人手を介さず上記のような不具合を避けることが可能となる。
【００１３】
請求項３に記載の発明は、ポンプと、該ポンプを太陽電池を電源として可変速制御する周波数変換器を備えた太陽電池を電源とする給水装置の制御装置において、太陽電池の出力電圧を検出する電圧検出手段、ポンプが締切り運転を検出する締切り運転検出手段、データを記憶する記憶手段、及びポンプ始動電圧加算手段を備え、電圧検出手段で検出した太陽電池の出力電圧ＶＯＵＴが記憶手段に記憶された予め定められたポンプ始動初期電圧ＶＳＴＡＲＴ以上となった場合にポンプを始動させ、締切り運転検出手段がポンプの締切り運転を検出した場合に、該ポンプの運転を停止させると共に、ポンプ始動電圧加算手段でポンプ始動初期電圧ＶＳＴＡＲＴに予め設定された電圧幅Ｖαを加えた電圧ＶＳＴＡＲＴ＋Ｖαを新たなポンプ始動電圧Ｖ（Ｎ）ＳＴＡＲＴとして記憶手段に記憶し、その後電圧検出手段で検出した太陽電池の出力電圧ＶＯＵＴが新たなポンプ始動電圧Ｖ（Ｎ）ＳＴＡＲＴ＝ＶＳＴＡＲＴ＋Ｖα以上になるまでポンプを停止状態に維持する機能を具備することを特徴とする。
【００１４】
上記のように制御装置が、締切り運転検出手段がポンプの締切り運転を検出した場合に、該ポンプの運転を停止させると共に、ポンプ始動電圧加算手段でポンプ始動初期電圧ＶＳＴＡＲＴに予め設定された電圧幅Ｖαを加えた電圧ＶＳＴＡＲＴ＋Ｖαを新たなポンプ始動電圧Ｖ（Ｎ）ＳＴＡＲＴとして記憶手段に記憶し、その後電圧検出手段で検出した太陽電池の出力電圧ＶＯＵＴが新たなポンプ始動電圧Ｖ（Ｎ）ＳＴＡＲＴ＝ＶＳＴＡＲＴ＋Ｖα以上になるまでポンプを停止状態に維持する機能を具備するので、請求項１に記載の発明と同様、一定時間間隔で再始動を繰り返す従来の締切り運転を保護する制御方法に比べて、ポンプの始動停止回数を著しく減少させることができる。
【００１５】
請求項４に記載の発明は、請求項３に記載の太陽電池を電源とする給水装置の制御装置において、記憶手段に太陽電池の許容最低電圧ＶＬＯＷを記憶しておき、電圧検出手段で検出した太陽電池の出力電圧ＶＯＵＴが許容最低電圧ＶＬＯＷ以下に減少した場合にポンプ始動電圧Ｖ（Ｎ）ＳＴＡＲＴ＝ＶＳＴＡＲＴ＋Ｖαを予め設定されたポンプ始動初期電圧ＶＳＴＡＲＴとする機能を具備することを特徴とする。
【００１６】
上記のように制御装置が、電圧検出手段で検出した太陽電池の出力電圧ＶＯＵＴが許容最低電圧ＶＬＯＷ以下に減少した場合にポンプ始動電圧Ｖ（Ｎ）ＳＴＡＲＴ＝ＶＳＴＡＲＴ＋Ｖαを予め設定されたポンプ始動初期電圧ＶＳＴＡＲＴとする機能を具備するので、請求項２に記載の発明と同様、ポンプの始動電圧は毎朝必ずポンプ始動初期電圧ＶＳＴＡＲＴから始まることになり、揚水が可能であるにもかかわらず、ポンプが運転されないという不具合を避けることが可能となる。
【００１７】
【発明の実施の形態】
以下、本発明の実施の形態例を図面に基づいて説明する。図１は本発明に係る太陽電池を電源とする給水装置の全体構成例を示す図である。図１に示すように、本発明に係る給水装置は、太陽光を電気エネルギーに変換する太陽電池１と、太陽電池１から供給される直流電力をポンプの運転に適した交流電力に変換するインバータ２と、そのインバータ２から供給される電力により駆動されるモータポンプ３とを備えている。このモータポンプ３は、ポンプとキャンドモータとが一体化された水中モータポンプであり、井戸６の底部に配置されている。地上には、モータポンプ３と吐出管４を介して接続された貯水タンク５が配置されており、この貯水タンク５に井戸６の内部の水が揚水される。そして、貯水タンク５に蓄積された水は、バルブ７を開くことにより配管８を介して所要の地域に供給される。
【００１８】
太陽電池１は、入射する太陽光エネルギーを電気エネルギーに変換し、インバータ２にＤＣ１００〜１７５Ｖ程度の電圧の直流電力を供給する。インバータ２は、太陽電池１から受けた直流電力をパルス幅変調により交流電力に変換し、この交流電力をケーブル９を介してモータポンプ３に供給する。インバータ２はモータポンプ３に最大２４０Ｈｚの運転周波数を供給する。この運転周波数は通常の商用電源の周波数５０Ｈｚ又は６０Ｈｚに比べてかなり高い値であり、このようにモータポンプ３の運転周波数、即ち回転速度を速くすることで、モータポンプ３の寸法自体を小型化することができる。
【００１９】
日射量が少なくなり、太陽電池１からの供給電力が低くなると、モータポンプ３の運転周波数が下がり、十分な揚程が確保できずモータポンプ３は運転していても貯水タンク５に十分な揚水ができない締切り運転の状況になることが考えられる。このような締切り運転が続くとポンプが過熱損傷に至ってしまう。そこで給水装置では、モータポンプ３がポンプの締切り運転の状態で運転することを防止するため制御装置１０が設置されている。図３はこの制御装置１０の構成を示すブロック図である。
【００２０】
図３に示すように、制御装置１０はポンプの締切り運転状態を検出する締切り運転検出装置１１、各種データを記憶する記憶装置２０、太陽電池１の出力電圧ＶＯＵＴを検出する電圧検出器２５、該電圧検出器２５で検出された出力電圧ＶＯＵＴと記憶装置２０に格納された許容最低電圧ＶＬＯＷ、ポンプ始動電圧（ポンプ始動初期電圧ＶＳＴＡＲＴ、新たなポンプ始動電圧Ｖ（Ｎ）ＳＴＡＲＴ＝ＶＳＴＡＲＴ＋Ｖα）とを比較する電圧比較器２６、ポンプ始動初期電圧ＶＳＴＡＲＴに電圧幅Ｖαを加算する始動電圧加算器２７を備えている。
【００２１】
また、締切り運転検出装置１１は、インバータ２の２次側電流の周波数、即ちモータポンプ３の運転周波数を検出する周波数検出器２１と、該周波数検出器２１により検出された周波数に対応する基準電流値を記憶装置２０を参照して取得する基準電流値取得器２２と、インバータ２の２次電流の電流値、即ちモータポンプ３内のモータの電流値を検出する電流検出器２３と、該電流検出器２３により検出された電流値と基準電流値取得器２２で取得された基準電流値とを比較する電流比較器２４を備えている。
【００２２】
一般に締切り運転状態では、ポンプは揚水するという仕事をしないため負荷が異常に軽くなる。従って、最低負電流（締切り電流）を予め設定しておけばモータポンプ３の運転電流がこの電流値を下回った場合に、締切り運転と判断することができる。このような締切り電流値はポンプの回転速度（モータポンプ３の運転周波数）によって変化するため、回転速度毎に締切り電流値を設定しておく必要がある。ここでは制御装置１０の記憶装置２０に、モータポンプ３の運転周波数とその周波数における締切り運転の判断基準となる基準電流値（締切り電流）とを関連づけた基準電流値テーブルが格納されている。更に、上記記憶装置２０には、許容最低電圧ＶＬＯＷ、ポンプ始動初期電圧ＶＳＴＡＲＴ、電圧幅Ｖαが格納されている。
【００２３】
電流比較器２４で、電流検出器２３で検出した検出電流値と基準電流値取得器２２で取得した基準電流値とを比較し、検出電流値が基準電流値以下であった場合、締切り運転と判定する。また、制御装置１０には、タイマー（図示せず）が備えられ、太陽電池１の出力電圧の値にかかわらず、ポンプ停止後一定時間再始動しないように制御する機能を備えている。
【００２４】
次に、上記給水装置の動作について説明する。図４は給水装置の動作を示すフロー図である。先ず電圧検出器２５により検出された太陽電池１の出力電圧ＶＯＵＴと記憶装置２０に格納されている許容最低電圧ＶＬＯＷが電圧比較器２６により比較される（ステップＳＴ１）。その結果、ＶＯＵＴ≧ＶＬＯＷであれば、続いてポンプ始動初期電圧ＶＳＴＡＲＴをポンプ始動電圧ＶＳＴＡＲＴとして記憶装置２０に格納する（ステップＳＴ２）。
【００２５】
次に、電圧検出器２５により検出された太陽電池１の出力電圧ＶＯＵＴと記憶装置２０に記憶されたポンプ始動電圧ＶＳＴＡＲＴ（ポンプ始動初期電圧ＶＳＴＡＲＴ）が電圧比較器２６により比較される（ステップＳＴ３）。その結果ＶＯＵＴ≧ＶＳＴＡＲＴで、且つタイマーの値ＴがＴ＝０で（ステップＳＴ４）であれば、モータポンプ３を始動する（ステップＳＴ５）。
【００２６】
次に、締切り運転検出装置１１の電流比較器２４で基準電流値取得器２２で、取得した周波数検出器２１により検出された周波数に対応する基準電流値と、該電流検出器２３により検出された電流値とを比較し、ポンプが締切り運転状態か否を判断し（ステップＳＴ６）、締切り運転状態であったらモータポンプ３を停止する（ステップＳＴ７）と共に、タイマーを初期値Ｔ０に設定し（ステップＳＴ８）、タイマーのカウントダウンを開始する（ステップＳＴ９）。
【００２７】
次に、始動電圧加算器２７により、現在のポンプ始動電圧であるポンプ始動初期電圧ＶＳＴＡＲＴに電圧幅Ｖαを加算した電圧ＶＳＴＡＲＴ＋Ｖαを新たなポンプ始動電圧Ｖ（Ｎ）ＳＴＡＲＴとして記憶装置２０に格納し（ステップＳＴ１０）、電圧検出器２５により検出される太陽電池１の出力電圧ＶＯＵＴがポンプ始動電圧Ｖ（Ｎ）ＳＴＡＲＴ＝ＶＳＴＡＲＴ＋Ｖα以上となるまで、モータポンプ３の停止状態を維持する。
【００２８】
太陽電池１の出力電圧ＶＯＵＴと記憶装置２０に記憶された許容最低電圧ＶＬＯＷを比較し（ステップＳＴ１１）、ＶＯＵＴ＜ＶＬＯＷであったら、ステップＳＴ１に移行し、ＶＯＵＴ＞ＶＬＯＷであったらステップＳＴ３に移行し処理を繰り返す。
【００２９】
このように、本実施形態によれば、ポンプの締切り運転が検出された場合、モータポンプ３を停止させると共に、モータポンプ３の始動電圧を始動初期電圧ＶＳＴＡＲＴに電圧幅Ｖα分を加算するため、日射量が確実に上昇するまで停止状態を維持することができる。その結果、従来の締切り運転保護方法に比べ、始動停止回数が著しく減少し、過度の始動停止に起因するポンプの損傷を防止することができる。
【００３０】
締切り運転を発生する条件は、日射量の他、水源の水位や気温といった自然条件に依存する為、同一の設置現場であっても、揚水可能な最低電力に対応する太陽電池１の出力電圧ＶＯＵＴは季節や天候により変化する。また、このような太陽電池を電源とする給水装置を必要とする牧場等においては、人間による保守点検が行き届かない場合が多く、メンテナンスフリーであることが要望される。そこで、本実施形態においては、夜間など太陽電池１の出力電圧ＶＯＵＴが許容最低電圧ＶＬＯＷ以下に低下した場合、ポンプ始動電圧をポンプ始動初期電圧ＶＳＴＡＲＴに戻している。これによりポンプ始動電圧は毎朝必ずポンプ始動初期電圧ＶＳＴＡＲＴから始まることになり、季節や天候により水位や気温が変動した場合でも、無人運転にて問題を生じることなく安定した運転を可能としている。
【００３１】
【発明の効果】
以上説明したように各請求項に記載の発明によれば下記のような優れた効果が得られる。
【００３２】
請求項１に記載の発明によれば、ポンプが締切り運転と判断され、ポンプの運転を停止させた場合に、ポンプ始動初期電圧ＶＳＴＡＲＴに予め設定された電圧幅Ｖαを加えた電圧ＶＳＴＡＲＴ＋Ｖαを新たなポンプ始動電圧Ｖ（Ｎ）ＳＴＡＲＴとすることにより、太陽電池の出力電圧ＶＯＵＴがＶＯＵＴ＝ＶＳＴＡＲＴ（ポンプ始動初期電圧）になっても、直ちに再始動せず電圧幅Ｖα分の日射量の増加を待ってから行われるから、一定時間間隔で再始動を繰り返す従来の締切り運転を保護する制御方法に比べて、ポンプの始動停止回数を著しく減少させることができる。
【００３３】
請求項２に記載の発明によれば、太陽電池の出力電圧ＶＯＵＴが許容最低電圧ＶＬＯＷ以下に減少した場合に新たに設定したポンプ始動電圧Ｖ（Ｎ）ＳＴＡＲＴ＝ＶＳＴＡＲＴ＋Ｖαを予め設定されたポンプ始動初期電圧ＶＳＴＡＲＴに戻す為、ポンプの始動電圧は毎朝必ずポンプ始動初期電圧ＶＳＴＡＲＴから始まることになり、その結果人手を介さず上記のような不具合を避けることが可能となる。
【００３４】
請求項３に記載の発明によれば、制御装置が、締切り運転検出手段がポンプの締切り運転を検出した場合に、該ポンプの運転を停止させると共に、ポンプ始動電圧加算手段でポンプ始動初期電圧ＶＳＴＡＲＴに予め設定された電圧幅Ｖαを加えた電圧ＶＳＴＡＲＴ＋Ｖαを新たなポンプ始動電圧Ｖ（Ｎ）ＳＴＡＲＴとして記憶手段に記憶し、その後電圧検出手段で検出した太陽電池の出力電圧ＶＯＵＴが新たなポンプ始動電圧Ｖ（Ｎ）ＳＴＡＲＴ＝ＶＳＴＡＲＴ＋Ｖα以上になるまでポンプを停止状態に維持する機能を具備するので、請求項１に記載の発明と同様、一定時間間隔で再始動を繰り返す従来の締切り運転を保護する制御方法に比べて、ポンプの始動停止回数を著しく減少させることができる。
【００３５】
請求項４に記載の発明によれば、制御装置が、電圧検出手段で検出した太陽電池の出力電圧ＶＯＵＴが許容最低電圧ＶＬＯＷ以下に減少した場合にポンプ始動電圧Ｖ（Ｎ）ＳＴＡＲＴ＝ＶＳＴＡＲＴ＋Ｖαを予め設定されたポンプ始動初期電圧ＶＳＴＡＲＴとする機能を具備するので、請求項２に記載の発明と同様、ポンプの始動電圧は毎朝必ずポンプ始動初期電圧ＶＳＴＡＲＴから始まることになり、揚水が可能であるにもかかわらず、ポンプが運転されないという不具合を避けることが可能となる。
【図面の簡単な説明】
【図１】本発明に係る太陽電池を電源とする給水装置の全体構成例を示す図である。
【図２】太陽電池の出力状態を示す図である。
【図３】本発明に係る太陽電池を電源とする給水装置の制御装置の構成例を示す図である。
【図４】本発明に係る太陽電池を電源とする給水装置の制御装置の動作フローを示す図である。
【符号の説明】
１            太陽電池
２            インバータ
３            モータポンプ
４            吐出管
５            貯水タンク
６            井戸
７            バルブ
８            配管
９            ケーブル
１０          制御装置
１１          締切り運転検出装置
２０          記憶装置
２１          周波数検出器
２２          基準電流値取得器
２３          電流検出器
２４          電流比較器
２５          電圧検出器
２６          電圧比較器
２７          始動電圧加算器
【図１】
2004190566.tif 000003
【図２】
2004190566.tif 000004
【図３】
2004190566.tif 000005
【図４】
2004190566.tif 000006